(57)【要約】【課題】表示パネルとの接合部分においてフレキシブル配線基板の剥離を抑制する。【解決手段】表示装置１００は、表示パネル１に設けられた表示用駆動回路２５に対して信号を出力する表示用配線基板５を備え、表示用配線基板５は、表示パネル１に接合された基端部５１と、基端部５１から延出された延出部５２と、延出部５２の延出方向に対して傾いた一の向きに延出部５２から延出された第一固定部５３と、延出部５２の延出方向に対して傾き且つ一の向きと異なる他の向きに延出部５２から延出された第二固定部５４と、を有し、延出部５２は、基端部５１の表示パネル１に接合された面の反対側の面と対向するように折り返され、第一固定部５３及び第二固定部５４は、表示パネル１の側面を跨いで、それぞれの先端部５３１，５４１が表示パネル１に対して基端部５１の反対側に配置されるように折り返されている。【選択図】図１
2011191575.tif 000002
【特許請求の範囲】
【請求項１】
表示パネルに設けられた表示用駆動回路に対して信号を出力する表示用配線が設けられた表示用配線基板を備える表示装置であって、
前記表示用配線基板は、前記表示パネルの所定の領域に接合された基端部と、前記基端部から延出され前記表示用配線が引き回された延出部と、前記延出部の延出方向に対して傾いた一の向きに前記延出部から延出された第一固定部と、前記延出部の延出方向に対して傾いて且つ前記一の向きと異なる他の向きに前記延出部から延出された第二固定部と、を有し、
前記延出部は、前記基端部の前記表示パネルに接合された面の反対側の面と対向するように折り返されていて、
前記第一固定部及び前記第二固定部は、前記表示パネルの側面を跨いで、それぞれの先端部が前記表示パネルに対して前記基端部が配置された側の反対側に配置されるように折り返されていることを特徴とする表示装置。
【請求項２】
前記延出部は、前記延出部の延出方向に沿って折り返されていることを特徴とする請求項１に記載の表示装置。
【請求項３】
前記第一固定部及び前記第二固定部は、前記延出部の延出方向に対して直交する方向に沿って折り返されていることを特徴とする請求項１又は２に記載の表示装置。
【請求項４】
前記第一固定部及び前記第二固定部は、前記延出部から互いに逆向きに延出されていることを特徴とする請求項１から３の何れか一項に記載の表示装置。
【請求項５】
前記表示パネルの複数の縁辺のうち一の縁辺に前記表示用駆動回路が設けられ、
前記延出部の延出方向は前記一の縁辺と直交することを特徴とする請求項１から４の何れか一項に記載の表示装置。
【請求項６】
前記第一固定部及び前記第二固定部は、前記表示パネルの前記複数の縁辺のうち前記一の縁辺に隣接する一対の縁辺をそれぞれ跨いで折り返されていることを特徴とする請求項１から５の何れか一項に記載の表示装置。
【請求項７】
前記一の向き及び前記他の向きは前記一対の縁辺と直交することを特徴とする請求項６に記載の表示装置。
【請求項８】
前記表示パネルのうち前記表示用駆動回路が設けられた表示用駆動回路接合領域の少なくとも一部に、前記延出部が重なっていることを特徴とする請求項１から７の何れか一項に記載の表示装置。
【請求項９】
前記延出部の周縁部のうち、前記基端部との境界をなす一の縁部に対して対向配置された他の縁部が、前記表示用駆動回路に重なっていることを特徴とする請求項１から８の何れか一項に記載の表示装置。
【請求項１０】
前記表示用駆動回路の少なくとも一部と前記延出部とが当接していることを特徴とする請求項１から９の何れか一項に記載の表示装置。
【請求項１１】
前記表示用駆動回路の少なくとも一部と前記延出部とが接合されていることを特徴とする請求項１から１０の何れか一項に記載の表示装置。
【請求項１２】
前記表示用駆動回路の少なくとも一部と前記延出部とを接合する固定部材によって前記表示用駆動回路が周囲を覆われていることを特徴とする請求項１１に記載の表示装置。
【請求項１３】
前記表示用配線基板の前記基端部は、前記表示パネルのうち前記表示用駆動回路が設けられた前記表示用駆動回路接合領域と前記一の縁辺とに挟まれた領域に接合されていることを特徴とする１から１２の何れか一項に記載の表示装置。
【請求項１４】
前記表示パネルに光を照射する光源装置を更に備え、
前記光源装置は、前記表示パネルに対向配置される導光板と、前記導光板の光入射面に対向配置された光源と、前記光源を駆動するための信号を前記光源に出力する光源用配線が設けられた光源用配線基板と、を有し、
前記表示パネルは、液晶層を介して一対の透明基板が対向配置された液晶表示パネルであることを特徴とする請求項１から１３の何れか一項に記載の表示装置。
【請求項１５】
前記光源装置を内部に収容する筺体を更に備え、
前記筺体は、前記光源装置の前記表示パネルが配置された側の反対側を覆う底板と、前記底板から立設され前記光源装置の側方を覆う複数の側板と、を有し、
前記第一固定部の先端部及び前記第二固定部の先端部が前記底板の前記光源装置を覆う面の反対側の面に固定されていることを特徴とする請求項１４に記載の表示装置。
【請求項１６】
前記第一固定部の先端部及び前記第二固定部の先端部が、固定部材により前記底板に固定されていることを特徴とする請求項１５に記載の表示装置。
【請求項１７】
前記光源用配線基板の一端部が前記第一固定部の先端部に接合されていることを特徴とする請求項１４から１６の何れか一項に記載の表示装置。
【請求項１８】
前記第一固定部には接続部材が設けられ、
前記接続部材は、前記表示用配線基板に信号を供給する外部駆動回路に接続されていることを特徴とする請求項１から１７の何れか一項に記載の表示装置。
【請求項１９】
表示パネルに設けられた表示駆動回路に対して信号を出力する表示用配線が設けられた表示用配線基板であって、
前記表示用配線基板は、前記表示パネルの所定の領域に接合される基端部と、前記基端部から延出され前記表示用配線が引き回された延出部と、前記延出部の延出する方向に直交して互いに逆向きに前記延出部から延出された第一固定部及び第二固定部と、を有することを特徴とする表示用配線基板。
【発明の詳細な説明】
【技術分野】
【０００１】
本発明は、表示用配線基板及び表示装置に関する。
【背景技術】
【０００２】
特許文献１には、メインフレキシブル配線基板を液晶モジュールの下辺から引き出して背面沿いに１８０°折り曲げるとともに、帯状のライト用フレキシブル配線基板を液晶モジュールの一側辺から引き出して引き出し部分を背面沿いに１８０°折り曲げ、その端部をメインフレキシブル配線基板に接合した液晶モジュールが開示されている。
【先行技術文献】
【特許文献】
【０００３】
【特許文献１】特開２００８−２９９１５０号公報
【発明の概要】
【発明が解決しようとする課題】
【０００４】
上記した液晶表示装置は、フレキシブル配線基板が後側に折り曲げられ、その折り曲げ部分が液晶モジュールの背面側に固定されているので、フレキシブル配線基板には折り曲げられていることによる反力が生じている。このためフレキシブル配線基板と液晶モジュールとの接合部分に応力が集中し、その接合部分が剥離してしまうおそれがある。
【０００５】
そこで本発明の課題は、表示パネルとの接合部分において、フレキシブル配線基板が剥離することを抑制することを目的とする。
【課題を解決するための手段】
【０００６】
以上の課題を解決するため、本発明の一態様によれば、
表示パネルに設けられた表示用駆動回路に対して信号を出力する表示用配線が設けられた表示用配線基板を備える表示装置であって、
前記表示用配線基板は、前記表示パネルの所定の領域に接合された基端部と、前記基端部から延出され前記表示用配線が引き回された延出部と、前記延出部の延出方向に対して傾いた一の向きに前記延出部から延出された第一固定部と、前記延出部の延出方向に対して傾いて且つ前記一の向きと異なる他の向きに前記延出部から延出された第二固定部と、を有し、
前記延出部は、前記基端部の前記表示パネルに接合された面の反対側の面と対向するように折り返されていて、
前記第一固定部及び前記第二固定部は、前記表示パネルの側面を跨いで、それぞれの先端部が前記表示パネルに対して前記基端部が配置された側の反対側に配置されるように折り返されていることを特徴とする表示装置が提供される。
【０００７】
上記表示装置において、好ましくは、前記延出部は、前記延出部の延出方向に沿って折り返されている。
上記表示装置において、好ましくは、前記第一固定部及び前記第二固定部は、前記延出部の延出方向に対して直交する方向に沿って折り返されている。
上記表示装置において、好ましくは、前記第一固定部及び前記第二固定部は、前記延出部から互いに逆向きに延出されている。
上記表示装置において、好ましくは、前記表示パネルの複数の縁辺のうち一の縁辺に前記表示用駆動回路が設けられ、
前記延出部の延出方向は前記一の縁辺と直交する。
上記表示装置において、好ましくは、前記第一固定部及び前記第二固定部は、前記表示パネルの前記複数の縁辺のうち前記一の縁辺に隣接する一対の縁辺をそれぞれ跨いで折り返されている。
上記表示装置において、好ましくは、前記一の向き及び前記他の向きは前記一対の縁辺と直交する。
上記表示装置において、好ましくは、前記表示パネルのうち前記表示用駆動回路が設けられた表示用駆動回路接合領域の少なくとも一部に、前記延出部が重なっている。
上記表示装置において、好ましくは、前記延出部の周縁部のうち、前記基端部との境界をなす一の縁部に対して対向配置された他の縁部が、前記表示用駆動回路に重なっている。
上記表示装置において、好ましくは、前記表示用駆動回路の少なくとも一部と前記延出部とが当接している。
上記表示装置において、好ましくは、前記表示用駆動回路の少なくとも一部と前記延出部とが接合されている。
上記表示装置において、好ましくは、前記表示用駆動回路の少なくとも一部と前記延出部とを接合する固定部材によって前記表示用駆動回路が周囲を覆われている。
上記表示装置において、好ましくは、前記表示用配線基板の前記基端部は、前記表示パネルのうち前記表示用駆動回路が設けられた表示用駆動回路接合領域と前記一の縁辺とに挟まれた領域に接合されている。
上記表示装置において、好ましくは、前記表示パネルに光を照射する光源装置を更に備え、
前記光源装置は、前記表示パネルに対向配置される導光板と、前記導光板の光入射面に対向配置された光源と、前記光源を駆動するための信号を前記光源に出力する光源用配線が設けられた光源用配線基板と、を有し、
前記表示パネルは、液晶層を介して一対の透明基板が対向配置された液晶表示パネルである。
上記表示装置において、好ましくは、前記光源装置を内部に収容する筺体を更に備え、
前記筺体は、前記光源装置の前記表示パネルが配置された側の反対側を覆う底板と、前記底板から立設され前記光源装置の側方を覆う複数の側板と、を有し、
前記第一固定部の先端部及び前記第二固定部の先端部が前記底板の前記光源装置を覆う面の反対側の面に固定されている。
上記表示装置において、好ましくは、前記第一固定部の先端部及び前記第二固定部の先端部が、固定部材により前記底板に固定されている。
上記表示装置において、好ましくは、前記光源用配線基板の一端部が前記第一固定部の先端部に接合されている。
上記表示装置において、好ましくは、前記第一固定部には接続部材が設けられ、
前記接続部材は、前記表示用配線基板に信号を供給する外部駆動回路に接続されている。
【０００８】
また、本発明の他の態様によれば、
表示パネルに設けられた表示駆動回路に対して信号を出力する表示用配線が設けられた表示用配線基板であって、
前記表示用配線基板は、前記表示パネルの所定の領域に接合される基端部と、前記基端部から延出され前記表示用配線が引き回された延出部と、前記延出部の延出する方向に直交して互いに逆向きに前記延出部から延出された第一固定部及び第二固定部と、を有することを特徴とする表示用配線基板が提供される。
【発明の効果】
【０００９】
本発明によれば、表示パネルとの接合部分におけるフレキシブル配線基板の剥離を抑制することができる。
【図面の簡単な説明】
【００１０】
【図１】本発明の実施形態に係る表示装置の正面斜視図である。
【図２】表示装置の正面図である。
【図３】表示装置の背面図である。
【図４】図１に示されたIV-IV線に沿った面の矢視断面図である。
【図５】図２における接合部分Ａを模式的に示した正面図である。
【図６】配線基板の固定前の状態の表示装置を示す背面図である。
【図７】配線基板の固定前であって配線基板の一部を折り返した状態の表示装置を示す背面図である。
【図８】表示装置の変形例を示した断面図である。
【発明を実施するための形態】
【００１１】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１２】
まず、本発明の実施形態について図１〜５を参照して説明する。
図１は本実施形態に係る表示装置１００の正面斜視図であり、図２は表示装置１００の正面図であり、図３は表示装置１００の背面図であり、図４は図１におけるIV-IV線に沿った面の矢視断面図であり、図５は図２における接合部分Ａの正面図である。なお、図５は接合部分Ａを模式的に示した概略構成図であるとともに、表示用配線基板５の延出部５２を折り返し固定する前の状態を示している。
【００１３】
表示装置１００は、表示パネル１、光源装置２、筺体３及び表示用配線基板５等を備える。
筺体３は、内部に表示パネル１及び光源装置２等を収容する略箱型部材である。筺体３は矩形状の底板３１の正面縁部に側板３２，３３，３４が立設されて構成されており、正面が開口されているとともに４つの側面のうちの一つが開口されている。これにより表示パネル１の観察側（正面側）を露出させることができるとともに、略矩形状の表示パネル１の一辺に沿って接合された表示用配線基板５及び光源用配線基板１６を露出させることができる。
【００１４】
表示パネル１はアクティブマトリクス方式の液晶表示パネルであり、矩形状の第一のガラス基板（透明基板）６の正面と矩形状の第二のガラス基板（透明基板）７の背面が液晶層（図示略）を介して対向配置されて構成されている。第一のガラス基板６と第二のガラス基板７の互いに向き合う内面には、第一と第二の透明電極（図示省略）が設けられている。第一と第二の透明電極は、電圧の印加により液晶層の液晶分子の配向状態を変化させて光の透過を制御する複数の画素をマトリクス状に形成している。また、観察側の第二のガラス基板７の正面には偏光板２３が貼り付けられている。他方、背面側の第一のガラス基板６の背面には偏光板２４が貼り付けられている。また、背面側の第一のガラス基板６には、観察側の第二のガラス基板７から張り出す張出部６１が形成されている。第一のガラス基板６の一つの辺に沿って設けられた張出部６１の表示用駆動回路接合領域１４には、上記の透明電極間に駆動電圧を印加するための表示用駆動回路２５が、該表示用駆動回路２５の端子が表示用駆動回路接合領域１４に形成された配線と電気的に接続された状態で搭載されている。ここで、表示用駆動回路２５が接合された第一のガラス基板６の一つの辺と直交する方向を第一の方向Ｘとし、この一つの辺と平行な方向を第二の方向Ｙとする。表示用駆動回路２５は、第二のガラス基板７の第二の方向Ｙに平行な縁辺のうち張出部６１側の一の縁辺に沿って配置されている。当該一の縁辺は第一の方向Ｘに直交する。
【００１５】
また、張出部６１には表示用配線基板５が取り付けられている。表示用配線基板５は、外部駆動回路からの制御信号を表示用駆動回路２５に出力する表示用配線が形成されたフレキシブル基板である。表示用配線基板５は、基端部５１と、延出部５２と、第一固定部５３と、第二固定部５４と、を有する。基端部５１は、矩形板状に形成され、少なくとも一部が張出部６１の配線基板接合領域１５に接合され、これにより表示用配線基板５が表示パネル１に接合されている。なお、図５に示すように、配線基板接合領域１５は、表示パネル１のうち表示用駆動回路２５が設けられた表示用駆動回路接合領域１４と上述の一の縁辺とに挟まれている。
【００１６】
延出部５２は、基端部５１から第一の方向Ｘに沿って平行に延出する矩形板状に形成され、第一の方向Ｘに沿って正面側に折り返された状態で配置されている。延出部５２の外周縁部のうち一の縁部５２０が基端部５１との境界をなしている（図５参照）。また、延出部５２の外周縁部のうち、基端部５１と離れた位置に一の縁部５２０に対して対向配置された他の縁部５２１が基端部５１の正面側に対向するように配置されている。また、延出部５２は、表示用駆動回路２５又は表示用駆動回路接合領域１４の少なくとも一部に重なっている。この場合、延出部５２は、表示用駆動回路２５又は表示用駆動回路接合領域１４の一部又は全体に重なっていてよい。なお、本実施形態において、他の縁部５２１は表示用配線基板５の外周縁部のうち所定の部分である。
【００１７】
第一固定部５３は、延出部５２の第一の方向Ｘに平行な一対の縁辺のうち一方の縁辺５２３から第二の方向Ｙに沿って平行に延出して設けられている。
第一固定部５３は第二の方向Ｙに沿って表示パネル１の縁辺及び側面（側板３２側）を跨いで折り返されて配置され、第一固定部５３の先端部５３１は表示装置１００の背面側に配置されている。ここで、第一固定部５３の先端部５３１とは、第一固定部５３のうち延出部５２と繋がった側とは反対側の端部のことを言う。図３に示すように先端部５３１は筺体３の底板３１の背面に沿って配置され、両面テープ（固定部材）１３で固定されている（図４参照）。先端部５３１のうち底板３１に対向する面の反対側の面には、インターフェース（接続部材）５３２、被接続部５３３及び複数の回路部品５３４等が設けられている。
【００１８】
第二固定部５４は、延出部５２の第一の方向Ｘに平行な一対の縁辺のうちもう一方の縁辺５２４から第二の方向Ｙに延出して設けられている。第二固定部５４が延出されて引き出される一の向きと第一固定部５３が延出されて引き出される他の向きは互いに逆向きである。
図１に示すように、第二固定部５４は第二の方向Ｙに沿って表示パネル１の縁辺及び側面（側板３４側）を跨いで折り返されて配置され、第二固定部５４の先端部５４１が表示装置１００の背面側に配置されている。図３に示すように先端部５４１は筺体３の底板３１の背面に沿って配置され、両面テープ１３で固定されている。先端部５４１のうち底板３１に対向する面の反対側の面には、複数の回路部品５４２等が設けられている。表示装置１００の背面側において第二固定部５４の先端部５４１と第一固定部５３の先端部５３１とは互いに重なり合わないように配置されている。
このように、第一固定部５３及び第二固定部５４は、表示パネル１の複数の縁辺のうち張出部６１側の一の縁辺に隣接する一対の縁辺と直交する向きにそれぞれ延出されるとともに、これら一対の各縁辺を跨いで折り返されている。
【００１９】
光源装置２は、表示パネル１に光を照射するものであり、表示パネル１の背後、すなわち表示パネル１の観察側とは反対側に配置されている（図４参照）。光源装置２は、表示パネル１に対向する導光板４と、導光板４に光を供給する光源１７と、光源１７を駆動するための信号を光源１７に出力する光源用配線が形成された光源用配線基板１６と、を備えて構成されている。この他にも光源装置２は、反射シート１１、光学シート４１，４２，４３及び遮光シート１２等を備えている。なお、光源装置２は、光学シート４１，４２，４３及び遮光シート１２を支持するフレームを備えていてもよい。
【００２０】
導光板４は、透明部材により矩形板状に形成されている。導光板４の正面には光出射面４４が形成されており、光出射面４４が表示パネル１に対向している。導光板４の側面の一つには、光源１７からの光が入射する光入射面４７が形成されている。
【００２１】
光源用配線基板１６は、導光板４の正面のうち光入射面４７が形成された一辺部に両面テープ１８を介して取り付けられている。光源用配線基板１６は、光源配設部１６１と、延出部１６２と、を有する。光源配設部１６１には光源１７が取り付けられている。延出部１６２は光源配設部１６１に連続して設けられ、筺体３の４つの側面のうちの開口した側面から表示装置１００の外側に延出している。そして延出部１６２は、第一の方向Ｘに沿って背面側に折り返され、導光板４及び表示用配線基板５等を跨いで配置されている。延出部１６２の先端には接続部（一端部）１６３が設けられ、接続部１６３に形成された接続端子が表示用配線基板５の第一固定部５３に設けられた被接続部５３３に形成された接続端子に電気的に接続されている。
【００２２】
図４に示す光源１７は、導光板４に光を供給する部材である。光源１７は導光板４の光入射面４７に対向して配置され、その対向面には光射出面１７１が形成されている。光源１７から照射された光は光入射面４７から導光板４内に入射し、光出射面４４から導光板４の正面方向へ出射される。
【００２３】
反射シート１１は、導光板４の背面側に対向配置され、導光板４の背面から出射される光を導光板４の内側へと反射するものである。
【００２４】
光学シート４１，４２，４３は、略矩形状に形成されていて、導光板４の光出射面４４上に積層されている。ここで、光出射面４４の直上の光学シート４１は、光出射面４４からの出射光を拡散させて輝度を均一にする光散乱シートである。また、光学シート４２，４３はそれぞれ一方の面に平坦面が形成され、他方の面に多数の微細な線状のプリズムが形成されたプリズムシートである。光学シート４２，４３は、平坦面が導光板４側を向くように配置され、線状プリズムが互いに直交する異なる方向に沿って配置されている。
【００２５】
遮光シート１２は、正面視略ロ字型に形成されていて、光学シート４３の正面の周縁部を囲んで光学シート４３の周縁から光が漏れることを防止するものである。遮光シート１２は、表示パネル１の偏光板２４及び光学シート４３に両面テープにより固定されていて、遮光シート１２の一部は両面テープにより筺体３に固定されている。
【００２６】
続いて図１〜図７を参照して、本実施形態における配線基板の固定方法について説明する。図６は、表示用配線基板５の固定前の状態を示した表示装置１００の背面図であり、図７は、表示用配線基板５の固定前であって延出部５２を折り返した状態を示した表示装置１００の背面図である。なお、図６及び図７においては光源用配線基板１６を省略して図示している。
【００２７】
図６に示すように、表示用配線基板５の固定前の表示装置１００においては、筺体３の４つの側面のうちの一つが開口しているため、表示用配線基板５は第一の方向Ｘに沿って引き出されている。延出部５２は第一のガラス基板６及び第二のガラス基板７に略平行に配置されており、延出部５２の一の縁部５２０よりも他の縁部５２１の方が第一の方向Ｘにおいて表示装置１００から離れた位置に配置されている。他の縁部５２１から第二の方向Ｙに沿って第一固定部５３及び第二固定部５４が互いに逆向きに延出している。
【００２８】
表示用配線基板５を固定するにあたっては、図７に示すように、まず延出部５２を第一の方向Ｘに沿って正面側に折り返す。これにより延出部５２の一部が基端部５１の正面側に重なり、延出部５２の他の縁部５２１が第二のガラス基板７の縁辺に沿って張出部６１の正面側に配置される。この際、延出部５２の他の縁部５２１が表示用駆動回路２５に重なっている。これに伴い、第一固定部５３及び第二固定部５４の一部が張出部６１の正面側に配置される。したがって、張出部６１の正面側が延出部５２と第一固定部５３と第二固定部５４とにより覆われる。ここで、延出部５２が折り返されていることにより、表示用配線基板５には、延出部５２の他の縁部５２１が張出部６１から離れる方向に浮き上がる反力が生じている。
【００２９】
続いて、延出部５２を折り返した状態のまま、第一固定部５３及び第二固定部５４を第二の方向Ｙに沿って背面側に折り返す（図２，３参照）。すなわち、第一固定部５３を表示パネル１の側面（側板３２側）を跨いで背面側に折り返し、第一固定部５３の先端部５３１を表示パネル１の背面側に配置する。そして、図３に示すように先端部５３１を筺体３の底板３１の背面に沿って配置し、両面テープ１３で底板３１に固定する（図４参照）。これにより、第一固定部５３が表示装置１００に固定されるとともに、延出部５２の縁辺５２３が固定される。
【００３０】
同様に、第二固定部５４を、第二の方向Ｙに沿って表示パネル１の側面（側板３４側）を跨いで背面側に折り返し、第二固定部５４の先端部５４１を表示パネル１の背面側に配置する。先端部５４１を筺体３の底板３１の背面に沿って配置し、両面テープ１３で底板３１に固定する。これにより、第二固定部５４が表示装置１００に固定されるとともに、延出部５２の縁辺５２４が固定される。したがって、第一固定部５３及び第二固定部５４により延出部５２の第一の方向Ｘに平行な両側の縁辺５２３，５２４が固定され、延出部５２の浮き上がりが抑えられる。
【００３１】
以上、本実施形態によれば、表示用配線基板５の延出部５２の折り返し方向に直交して第一固定部５３及び第二固定部５４を背面側に折り返し、これらを表示装置１００の背面に固定しているので、表示用配線基板５の反力による浮き上がりを防止することができる。したがって表示パネル１との接合部分において、表示用配線基板５が剥離しにくく、より確実に固定することができる。
また、表示用駆動回路２５又は表示用駆動回路接合領域１４の少なくとも一部と延出部５２とが重なっているので、表示用駆動回路２５又は表示用駆動回路接合領域１４に形成された配線を表示用配線基板５によって保護することができる。
更に、表示用駆動回路２５の少なくとも一部と延出部５２とが当接していてもよく、表示用駆動回路２５の少なくとも一部と延出部５２とが両面テープやゲル状の粘着剤、硬化性樹脂を含む接着剤といった各種固定部材を介して接合されていてもよい。表示用駆動回路２５と延出部５２とを当接させることにより、表示用駆動回路２５を表示用配線基板５によって確実に保護することができる。表示用駆動回路２５と延出部５２とを固定部材を介して接合することにより、表示用駆動回路２５を表示用配線基板５によってより確実に保護することができる。また、図８に示すように、この固定部材１９によって表示用駆動回路２５の周囲を覆うようにしてもよい。これにより、表示用駆動回路２５を表示用配線基板５及び固定部材１９によってより一層確実に保護することができる。また更に、延出部５２の他の縁部５２１が表示用駆動回路２５に重なっていることによっても、表示用駆動回路２５又は表示用駆動回路接合領域１４に形成された配線を表示用配線基板５によって保護することができる。
【００３２】
なお、上述したような効果が得られる場合は、延出部５２が延出される方向は第一の方向Ｘに必ずしも平行でなくてもよく、第一固定部５３及び第二固定部５４が延出される方向は第二の方向Ｙに必ずしも平行でなくてもよい。
また、延出された延出部５２を第一の方向Ｘに沿って表示パネル１の正面側に折り返す場合、その折り返し方向は、延出部５２が延出される方向と必ずしも平行でなくてもよい。即ち、延出部５２を折り返す方向は、第一の方向Ｘと必ずしも平行でなくてもよく、上述したような効果が得られる場合は第一の方向Ｘとずれていてもよい。同様に、延出された第一固定部５３及び第二固定部５４を第二の方向Ｙに沿って表示パネル１の側面を跨いで折り返す場合、その折り返し方向は、第一固定部５３及び第二固定部５４がそれぞれ延出される方向と必ずしも平行でなくてもよい。即ち、第一固定部５３及び第二固定部５４を折り返す方向は、第二の方向Ｙと必ずしも平行でなくてもよく、上述したような効果が得られる場合は第二の方向Ｙとずれていてもよい。
更に、第一固定部５３が延出される方向と第二固定部５４が延出される方向とは必ずしも平行でなくてもよい。即ち、第一固定部５３が延出されて引き出される向きと第二固定部５４が延出されて引き出される向きとは互いにちょうど反対向きでなくてもよい。上述したような効果が得られる場合は、第一固定部５３が第一の方向Ｘに対して傾いた一の向きに延出部５２から延出されて引き出され、第二固定部５４が第一の方向Ｘに対して傾いていて且つ一の向きと異なる他の向きに延出部５２から延出されて引き出されていてもよい。この場合、一の向きと他の向きとが第一の方向Ｘに関して互いに線対称とすれば、表示パネル１と表示用配線基板５とをより安定して固定することができる。
また更に、上述したような効果が得られる場合は、第一固定部５３が折り返される方向と第一固定部５３が延出されて引き出される一の向きとは必ずしも平行でなくてもよく、第二固定部５４が折り返される方向と第二固定部５４が延出されて引き出される他の向きとは必ずしも平行でなくてもよい。
【００３３】
なお、表示パネル１は、プラズマ表示パネル、有機エレクトロルミネセンス表示パネル又はフィールドエミッション表示パネル等であってもよく、液晶表示パネルに限られない。その場合には、表示装置１００は光源装置２を備えていない。
【符号の説明】
【００３４】
１  表示パネル
２  光源装置
３  筺体
４  導光板
５  表示用配線基板
６  第一のガラス基板（透明基板）
７  第二のガラス基板（透明基板）
１３  両面テープ（固定部材）
１４  表示用駆動回路接合領域
１６  光源用配線基板
１７  光源
１９  固定部材
２５  表示用駆動回路
３１  底板
３２  側板
３３  側板
３４  側板
４７  光入射面
５１  基端部
５２  延出部
５３  第一固定部
５４  第二固定部
１００  表示装置
１６３  接続部（一端部）
５２０  一の縁部
５２１  他の縁部
５３１  先端部
５３２  インターフェース（接続部材）
５４１  先端部
【図１】
2011191575.tif 000003
【図２】
2011191575.tif 000004
【図３】
2011191575.tif 000005
【図４】
2011191575.tif 000006
【図５】
2011191575.tif 000007
【図６】
2011191575.tif 000008
【図７】
2011191575.tif 000009
【図８】
2011191575.tif 000010
【手続補正書】
【提出日】平成23年2月16日(2011.2.16)
【手続補正１】
【補正対象書類名】明細書
【補正対象項目名】０００６
【補正方法】変更
【補正の内容】
【０００６】
以上の課題を解決するため、本発明の一態様によれば、
表示パネルと、前記表示パネルに設けられた表示用駆動回路と、前記表示用駆動回路に対して信号を出力する表示用配線が設けられた表示用配線基板を備える表示装置であって、
前記表示用配線基板は、前記表示パネルの所定の領域に接合された基端部と、前記基端部から延出され前記表示用配線が引き回された延出部と、前記延出部の延出方向に対して傾いた一の向きに前記延出部から延出された第一固定部と、前記延出部の延出方向に対して傾いて且つ前記一の向きと異なる他の向きに前記延出部から延出された第二固定部と、を有し、
前記延出部は、前記基端部の前記表示パネルに接合された面の反対側の面と対向するように折り返されていて、
前記第一固定部及び前記第二固定部は、前記表示パネルの側面を跨いで、それぞれの先端部が前記表示パネルに対して前記基端部が配置された側の反対側に配置されるように折り返されていることを特徴とする表示装置が提供される。
【手続補正２】
【補正対象書類名】明細書
【補正対象項目名】０００８
【補正方法】変更
【補正の内容】
【０００８】
また、本発明の他の態様によれば、
表示パネルの所定の領域に接合される基端部と、前記基端部から延出され前記表示用配線が引き回された延出部と、を備える表示用配線基板であって、
前記延出部の延出方向に対して傾いた一の向きに前記延出部から延出された第一固定部と、
前記延出部の延出方向に対して傾いて且つ前記一の向きと異なる他の向きに前記延出部から延出された第二固定部とを備えていることを特徴とする表示用配線基板が提供される。
上記表示用配線基板において、好ましくは、前記第一固定部と前記第二固定部とが、前記延出部の延出する方向に直交して互いに逆向きに前記延出部から延出されている。
【手続補正３】
【補正対象書類名】特許請求の範囲
【補正対象項目名】全文
【補正方法】変更
【補正の内容】
【特許請求の範囲】
【請求項１】
表示パネルと、
前記表示パネルに設けられた表示用駆動回路と、
前記表示用駆動回路に対して信号を出力する表示用配線が設けられた表示用配線基板を備える表示装置であって、
前記表示用配線基板は、前記表示パネルの所定の領域に接合された基端部と、前記基端部から延出され前記表示用配線が引き回された延出部と、前記延出部の延出方向に対して傾いた一の向きに前記延出部から延出された第一固定部と、前記延出部の延出方向に対して傾いて且つ前記一の向きと異なる他の向きに前記延出部から延出された第二固定部と、を有し、
前記延出部は、前記基端部の前記表示パネルに接合された面の反対側の面と対向するように折り返されていて、
前記第一固定部及び前記第二固定部は、前記表示パネルの側面を跨いで、それぞれの先端部が前記表示パネルに対して前記基端部が配置された側の反対側に配置されるように折り返されていることを特徴とする表示装置。
【請求項２】
前記延出部は、前記延出部の延出方向に沿って折り返されていることを特徴とする請求項１に記載の表示装置。
【請求項３】
前記第一固定部及び前記第二固定部は、前記延出部の延出方向に対して直交する方向に沿って折り返されていることを特徴とする請求項１又は２に記載の表示装置。
【請求項４】
前記第一固定部及び前記第二固定部は、前記延出部から互いに逆向きに延出されていることを特徴とする請求項１から３の何れか一項に記載の表示装置。
【請求項５】
前記表示パネルの複数の縁辺のうち一の縁辺に前記表示用駆動回路が設けられ、
前記延出部の延出方向は前記一の縁辺と直交することを特徴とする請求項１から４の何れか一項に記載の表示装置。
【請求項６】
前記第一固定部及び前記第二固定部は、前記表示パネルの前記複数の縁辺のうち前記一の縁辺に隣接する一対の縁辺をそれぞれ跨いで折り返されていることを特徴とする請求項１から５の何れか一項に記載の表示装置。
【請求項７】
前記一の向き及び前記他の向きは前記一対の縁辺と直交することを特徴とする請求項６に記載の表示装置。
【請求項８】
前記表示パネルのうち前記表示用駆動回路が設けられた表示用駆動回路接合領域の少なくとも一部に、前記延出部が重なっていることを特徴とする請求項１から７の何れか一項に記載の表示装置。
【請求項９】
前記延出部の周縁部のうち、前記基端部との境界をなす一の縁部に対して対向配置された他の縁部が、前記表示用駆動回路に重なっていることを特徴とする請求項１から８の何れか一項に記載の表示装置。
【請求項１０】
前記表示用駆動回路の少なくとも一部と前記延出部とが当接していることを特徴とする請求項１から９の何れか一項に記載の表示装置。
【請求項１１】
前記表示用駆動回路の少なくとも一部と前記延出部とが接合されていることを特徴とする請求項１から１０の何れか一項に記載の表示装置。
【請求項１２】
前記表示用駆動回路の少なくとも一部と前記延出部とを接合する固定部材によって前記表示用駆動回路が周囲を覆われていることを特徴とする請求項１１に記載の表示装置。
【請求項１３】
前記表示用配線基板の前記基端部は、前記表示パネルのうち前記表示用駆動回路が設けられた前記表示用駆動回路接合領域と前記一の縁辺とに挟まれた領域に接合されていることを特徴とする１から１２の何れか一項に記載の表示装置。
【請求項１４】
前記表示パネルに光を照射する光源装置を更に備え、
前記光源装置は、前記表示パネルに対向配置される導光板と、前記導光板の光入射面に対向配置された光源と、前記光源を駆動するための信号を前記光源に出力する光源用配線が設けられた光源用配線基板と、を有し、
前記表示パネルは、液晶層を介して一対の透明基板が対向配置された液晶表示パネルであることを特徴とする請求項１から１３の何れか一項に記載の表示装置。
【請求項１５】
前記光源装置を内部に収容する筺体を更に備え、
前記筺体は、前記光源装置の前記表示パネルが配置された側の反対側を覆う底板と、前記底板から立設され前記光源装置の側方を覆う複数の側板と、を有し、
前記第一固定部の先端部及び前記第二固定部の先端部が前記底板の前記光源装置を覆う面の反対側の面に固定されていることを特徴とする請求項１４に記載の表示装置。
【請求項１６】
前記第一固定部の先端部及び前記第二固定部の先端部が、固定部材により前記底板に固定されていることを特徴とする請求項１５に記載の表示装置。
【請求項１７】
前記光源用配線基板の一端部が前記第一固定部の先端部に接合されていることを特徴とする請求項１４から１６の何れか一項に記載の表示装置。
【請求項１８】
前記第一固定部には接続部材が設けられ、
前記接続部材は、前記表示用配線基板に信号を供給する外部駆動回路に接続されていることを特徴とする請求項１から１７の何れか一項に記載の表示装置。
【請求項１９】
表示パネルの所定の領域に接合される基端部と、前記基端部から延出され前記表示用配線が引き回された延出部と、を備える表示用配線基板であって、
前記延出部の延出方向に対して傾いた一の向きに前記延出部から延出された第一固定部と、
前記延出部の延出方向に対して傾いて且つ前記一の向きと異なる他の向きに前記延出部から延出された第二固定部とを備えていることを特徴とする表示用配線基板。
【請求項２０】
前記第一固定部と前記第二固定部とが、前記延出部の延出する方向に直交して互いに逆向きに前記延出部から延出されていることを特徴とする請求項１９に記載の表示用配線基板。